(57)【要約】【課題】この発明の課題は、ワイドパネルを容易にフロントマスクに着脱でき、しかも水流などの圧力で流失、紛失せず、さらに光の拡散ができるワイドパネル構造を提供するものである。【解決手段】液密構造の筒状ストロボのフロントマスクに取り付けられるワイドパルにおいて、有底筒状のワイドパネル本体と該ワイドパネル本体の有底部の円周方向に少なくとも１個のスリットを設け、前記ワイドパネルの有底部にストロボのスレーブが覗く開口を設け、前記ワイドパネルの内側周囲に前記フロントマスクの溝に嵌合する少なくとも１個の突起を設けて成ることを特徴とするワイドパネル構造。【選択図】  図１
2005308842.tif 000002
【特許請求の範囲】
【請求項１】
液密構造の円筒状ストロボのフロントマスクに取り付けられるワイドパルにおいて、有底円筒状のワイドパネル本体と該ワイドパネル本体の有底部の周方向に少なくとも１個のスリットを設け、前記ワイドパネルの有底部にストロボのスレーブが覗く開口を設け、前記ワイドパネルの内側周囲に前記フロントマスクの溝に嵌合する突起を設けて成ることを特徴とするワイドパネル構造。
【請求項２】
液密構造の円筒状ストロボのフロントマスクに取り付けられるワイドパルにおいて、有底円筒状のワイドパネル本体と該ワイドパネル本体の有底部の周方向に少なくとも１個のスリットを設け、前記ワイドパネルの有底部にストロボのスレーブが覗く開口を設け、前記ワイドパネルの内側周囲に前記フロントマスクの溝に嵌合する突起を直径線上に設けて成ることを特徴とするワイドパネル構造。
【請求項３】
液密構造の円筒状ストロボのフロントマスクに取り付けられるワイドパルにおいて、有底円筒状のワイドパネル本体と該ワイドパネル本体の有底部の周方向に少なくとも１個のスリットを設け、前記ワイドパネルの有底部にストロボのスレーブが覗く開口を設け、前記ワイドパネルの内側周囲に前記フロントマスクの溝に嵌合する突起を設けて成ることを特徴とするワイドパネル構造。
【請求項４】
液密構造のストロボのフロントマスクに取り付けられるワイドパルにおいて、有底筒状のワイドパネル本体と該ワイドパネル本体の有底部の周方向に少なくとも１個のスリットを設け、前記ワイドパネルの有底部にストロボのスレーブが覗く開口を設け、前記ワイドパネルの内側周囲に前記フロントマスクの溝に嵌合する突起を設けて成ることを特徴とするワイドパネル構造。
【請求項５】
液密構造の筒状ストロボのフロントマスクに取り付けられるワイドパルにおいて、有底筒状のワイドパネル本体と該ワイドパネル本体の有底部の周方向に少なくとも１個のスリットを設け、前記ワイドパネルの有底部にストロボのスレーブが覗く開口を設け、前記ワイドパネルの内側周囲に前記フロントマスクの溝に嵌合する少なくとも１個の突起を設けて成ることを特徴とするワイドパネル構造。
【発明の詳細な説明】
【技術分野】
【０００１】
この発明は水中ストロボに係り、ストロボ光を拡散して水中の近接撮影する際に採用されるワイドパネルの改良に関する。
【背景技術】
【０００２】
一般的にダイバー等が水中で写真撮影する場合、水中ストロボを用いるがこの水中ストロボは撮影した際、ストロボ光が一点に集まり過ぎて近接して広い範囲を撮影するには不向きであった。そのために従来の水中ストロボにあまり手を加えずにストロボ光が一点に集まることなく拡散できるワイドパネルが望まれている。
【０００３】
このワイドパネルは外して水中ストロボの光のみを用いることも考慮して着脱タイプが待たれている。しかし着脱タイプであるとストロボのフロントマスクに取り付けたワイドパネルはスレーブ（光受光素子部）等から水流が内部に侵入しワイドパネル内の水圧を高めこの水圧などで容易に外れ紛失、流失すること等がしばしば起きていた。
【０００４】
従って、ワイドパネルの内側に侵入した水流による水圧では脱落せずにしかもフロントマスクから取り外しが容易で、光の拡散ができるワイドパネルが望まれている。ワイドパネルは又、ワイドパネルの内側に進入した水流を抵抗なく外部に排出できる構造が望まれ、同時にこの容易な排出構造がワイドパネルの構造自体を弱くせずに実現できることも望まれているのである。
【特許文献１】特開平５−９４７５０号公報
【発明の開示】
【発明が解決しようとする課題】
【０００５】
従って、この発明の課題は、ワイドパネルを容易にフロントマスクに着脱でき、しかも水流などの圧力で流失、紛失せず、さらに光の拡散ができるワイドパネル構造を提供するものである。
【課題を解決するための手段】
【０００６】
上記の課題を解決するために、液密構造の筒状ストロボのフロントマスクに取り付けられるワイドパルにおいて、有底筒状のワイドパネル本体と該ワイドパネル本体の有底部の周方向に少なくとも１個のスリットを設け、前記ワイドパネルの有底部にストロボのスレーブが覗く開口を設け、前記ワイドパネルの内側周囲に前記フロントマスクの溝に嵌合する少なくとも1個の突起を設けて成ることによってフロントマスクからワイドパネルが脱落することがないワイドパネル構造が提供できる。
【発明の効果】
【０００７】
請求項１２，３，４、５に記載の発明によれば、フロントマスクの溝に嵌合する突起を設けて成るのでワイドパネルを容易にしかも確実にフロントマスクに着脱でき、水流などの圧力で流失、紛失せず、さらに光の拡散ができるワイドパネル構造を提供できるものである。
【発明を実施するための最良の形態】
【０００８】
（実施形態１）
以下、この発明の実施形態を添付図面、図１及び図２に基づいて説明する。
図１の１はワイドパネルで片方が開口し一方が有底の筒状のプラスチック材で形成したものである。このワイドパネルの外周囲付近には適当な間隔で４個のスリット２を形成し、更に有底部分の外周に近い個所にはストロボ３の前面に設置されているスレーブ（光受光素子）４の円形の覗き窓５が形成してある。
【０００９】
前記ストロボ３の前面にはフロントマスク６が形成してあって、このフロントマスク６の外周に前記ワイドパネル１が嵌合できるように両者の寸法が設定してある。又位置的に覗き窓５とスレーブ４とは一致できる様に調節配置してある。７、ストロボ３の発光部、８は溝で図２に示すワイドパネル１の突起９、１０が係合できるように係合具合を調節して形成してある。尚図２は図１のA矢視方向から見た図である。
【００１０】
このように構成したワイドパネル１をストロボ３のフロントマスク６に取り付ける場合は矢視Aの反対方向からワイドパネル１の開口側を装着し、以後強く押し込むとワイドパネル１の突起９，１０が溝８に嵌合し、確実に取り付けられる。この様に取り付けたワイドパネル１には覗き窓５が形成してあるからスレーブ４の機能に邪魔にならない。
【００１１】
また、ワイドパネル１をフロントマスク６に取り付け、水中で使用中、ワイドパネル１とフロントマスク６との間に水が入ってもスリット２から流出し水流の圧力がワイドパネル１にかかることを軽減できる。また、外部から水流の圧力を受けても溝８に突起９，１０が確実に嵌合しているからワイドパネル１が簡単に外れることはないものである。
【００１２】
上記実施形態１ではスリット２を４個形成した場合を説明したが幾つでも適宜先手選択できるものである。また突起９，１０も２個の場合について説明したが必要に応じて幾つでも選定でき発明の要旨を逸脱しない範囲で種々応用が可能である勿論である。
【図面の簡単な説明】
【００１３】
【図１】この発明に係わるワイドパネルとストロボとの組み合わせ斜視図。（実施形態１）
【図２】は図１のA矢視方向から見たワイドパネルの図。
【符号の説明】
【００１４】
１  ワイドパネル 
２  スリット
３  ストロボ
４  スレーブ
５  覗き窓  
６  フロントマスク
７   発光部
８   溝
９，１０  突起
【図１】
2005308842.tif 000003
【図２】
2005308842.tif 000004